【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
検体が供給された検体分析カートリッジを用いて検体に含まれる被検物質を検出する被検物質の検出方法であって、
前記検体分析カートリッジは、気相空間がある通路部と、前記通路部に沿って配置され、開口部を通じて前記通路部と連通する複数の液体収容部と、を備え、前記複数の液体収容部は、被検物質を担持させるための磁性粒子を含む第１液体を収容するように構成された第１液体収容部と、前記被検物質に結合可能な標識物質を含む第２液体を収容するように構成された第２液体収容部とを含み、
磁力源を用いて、前記磁性粒子を、前記通路部の気相空間を介して前記複数の液体収容部に順次移送することにより、前記磁性粒子に被検物質と標識物質との複合体を担持させ、前記複合体の標識物質に基づいて被検物質を検出し、
前記磁力源を移動させることによって、前記磁性粒子を前記液体収容部から前記気相空間に移送する、被検物質の検出方法。
【請求項２】
前記通路部は、前記検体分析カートリッジの上面に近接して配置される、請求項１に記載の被検物質の検出方法。
【請求項３】
前記開口部は前記液体収容部の上部に形成される、請求項１または２に記載の被検物質の検出方法。
【請求項４】
前記液体収容部に収容される液体は、前記開口部の上部の前記通路部にもある、請求項３に記載の被検物質の検出方法。
【請求項５】
前記検体分析カートリッジの上方から磁力源を前記通路部に沿って移動させることで、前記磁性粒子を移送する、請求項２に記載の被検物質の検出方法。
【請求項６】
前記液体収容部内で前記磁性粒子を上下方向に移動させる工程を含む、請求項１に記載の被検物質の検出方法。
【請求項７】
前記液体収容部の上方及び下方に交互に磁力源を近づけることで、前記液体収容部内で前記磁性粒子を上下方向に移動させる、請求項６に記載の被検物質の検出方法。
【請求項８】
前記検体分析カートリッジが、前記磁性粒子と前記被検物質とを反応させるための液体反応部をさらに備え、
前記検体分析カートリッジに供給された検体中の前記被検物質と、前記第１液体収容部から前記通路部の気相空間を介して前記液体反応部に移送された前記磁性粒子とを反応させることにより、前記被検物質を前記磁性粒子に担持させる、請求項１に記載の被検物質の検出方法。
【請求項９】
前記被検物質を含む前記検体と試薬との混合液を検体流路内で空圧によって攪拌し、前記混合液を前記液体反応部に吐出する、請求項８に記載の被検物質の検出方法。
【請求項１０】
前記複数の液体収容部は、洗浄液を収容するための第３液体収容部を含み、
前記被検物質と結合した前記磁性粒子が、前記通路部の気相空間を介して前記第３液体収容部に移送されることにより、前記磁性粒子に付着した不要物質が前記洗浄液中に分散される、請求項１に記載の被検物質の検出方法。
【請求項１１】
前記複数の液体収容部は、洗浄液を収容するための第３液体収容部を含み、
前記被検物質と結合した前記磁性粒子が、前記第３液体収容部から隣接する前記第２液体収容部に前記通路部の気相空間を介して移送されることにより、前記磁性粒子に被検物質と標識物質との複合体が担持される、請求項１に記載の被検物質の検出方法。
【請求項１２】
前記複数の液体収容部は、前記第２液体収容部と隣接する複数の前記第３液体収容部を含み、
前記磁性粒子を、上流側の前記第３液体収容部、前記第２液体収容部、下流側の前記第３液体収容部の順で前記通路部の気相空間を介して順次移送する、請求項１１に記載の被検物質の検出方法。
【請求項１３】
前記複数の液体収容部は、緩衝液を収容するための第４液体収容部を含み、
被検物質と標識物質との複合体を担持する前記磁性粒子が前記通路部の気相空間を介して前記第４液体収容部に移送されることにより、前記複合体を担持する前記磁性粒子が緩衝液中に分散される、請求項１２に記載の被検物質の検出方法。
【請求項１４】
前記検体分析カートリッジが、前記標識物質と基質とを反応させるための検出槽をさらに備え、
前記第４液体収容部に収容された前記複合体と緩衝液との混合液が、混合液流路を介して前記検出槽に移送される、請求項１３に記載の被検物質の検出方法。
【請求項１５】
前記液体収容部の底部内表面の面積は、前記開口部の開口面積よりも大きい、請求項１に記載の被検物質の検出方法。
【請求項１６】
検体分析カートリッジに供給された検体に含まれる被検物質の分析を行う検体分析装置であって、
気相空間がある通路部と、前記通路部に沿って配置され、開口部を通じて前記通路部と連通する複数の液体収容部と、を備え、前記複数の液体収容部が、被検物質を担持させるための磁性粒子を含む第１液体を収容するように構成される第１液体収容部と、前記被検物質に結合可能な標識物質を含む第２液体を収容するように構成される第２液体収容部と、を含む検体分析カートリッジをセットするセット部と、
前記セット部にセットされた前記検体分析カートリッジ中の前記磁性粒子に磁力を作用させて、前記磁性粒子を前記複数の液体収容部間で移送するための磁力源と、
前記磁性粒子に担持させた被検物質と標識物質との複合体の標識物質に基づいて前記被検物質を検出するための検出部とを備え、
前記磁力源は、前記セット部にセットされた前記検体分析カートリッジの近傍を移動することにより、前記磁性粒子を、前記液体収容部から前記気相空間に移送するように構成されている、検体分析装置。
【請求項１７】
前記磁力源は、永久磁石である、請求項１６に記載の検体分析装置。
【請求項１８】
前記セット部にセットされた前記検体分析カートリッジに対して前記磁力源を相対移動させるための移動機構部をさらに備える、請求項１６または１７に記載の検体分析装置。
【請求項１９】
前記移動機構部は、前記セット部にセットされた前記検体分析カートリッジの前記液体収容部に対して上下方向に前記磁力源を相対移動させる、請求項１８に記載の検体分析装置。
【請求項２０】
前記磁力源は、前記セット部にセットされた前記検体分析カートリッジの上方及び下方に備えられ、
前記移動機構部は、前記上方に備えられた磁力源と前記下方に備えられた磁力源とを交互に前記セット部にセットされた前記検体分析カートリッジの前記液体収容部に近づける、請求項１９に記載の検体分析装置。
【請求項２１】
前記開口部は前記液体収容部の上部に形成されている、請求項１６に記載の検体分析装置。
【請求項２２】
前記液体収容部に収容される液体は、前記開口部の上部の前記通路部にもある、請求項２１に記載の検体分析装置。
【請求項２３】
検体が供給された検体分析カートリッジを用いて検体に含まれる被検物質を検出する被検物質の検出方法であって、
前記検体分析カートリッジは、気相空間がある通路部と、前記通路部に沿って配置され、開口部を通じて前記通路部と連通する複数の液体収容部と、を備え、前記複数の液体収容部は、被検物質を担持させるための磁性粒子を含む第１液体を収容するように構成された第１液体収容部と、前記被検物質に結合可能な標識物質を含む第２液体を収容するように構成された第２液体収容部とを含み、
磁力源を用いて、前記磁性粒子を、前記通路部の気相空間を介して前記複数の液体収容部に順次移送することにより、前記磁性粒子に被検物質と標識物質との複合体を担持させ、前記複合体の標識物質に基づいて被検物質を検出し、
前記検体分析カートリッジの厚み方向において、前記磁力源を前記液体収容部に接近させて前記磁性粒子を集磁する、被検物質の検出方法。
【手続補正２】
【補正対象書類名】明細書
【補正対象項目名】発明の名称
【補正方法】変更
【補正の内容】
【発明の名称】被検物質の検出方法および検体分析装置
【手続補正３】
【補正対象書類名】明細書
【補正対象項目名】０００６
【補正方法】変更
【補正の内容】
【０００６】
この発明の第１の局面による被検物質の検出方法は、検体が供給された検体分析カートリッジを用いて検体に含まれる被検物質を検出する被検物質の検出方法であって、検体分析カートリッジは、気相空間がある通路部と、通路部に沿って配置され、開口部を通じて通路部と連通する複数の液体収容部と、を備え、複数の液体収容部は、被検物質を担持させるための磁性粒子を含む第１液体を収容するように構成された第１液体収容部と、被検物質に結合可能な標識物質を含む第２液体を収容するように構成された第２液体収容部とを含み、磁力源を用いて、磁性粒子を、通路部の気相空間を介して複数の液体収容部に順次移送することにより、磁性粒子に被検物質と標識物質との複合体を担持させ、複合体の標識物質に基づいて被検物質を検出し、磁力源を移動させることによって、磁性粒子を液体収容部から気相空間に移送する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
この発明の第２の局面による検体分析装置は、検体分析カートリッジに供給された検体に含まれる被検物質の分析を行う検体分析装置であって、気相空間がある通路部と、通路部に沿って配置され、開口部を通じて通路部と連通する複数の液体収容部と、を備え、複数の液体収容部が、被検物質を担持させるための磁性粒子を含む第１液体を収容するように構成される第１液体収容部と、被検物質に結合可能な標識物質を含む第２液体を収容するように構成される第２液体収容部と、を含む検体分析カートリッジをセットするセット部と、セット部にセットされた検体分析カートリッジ中の磁性粒子に磁力を作用させて、磁性粒子を複数の液体収容部間で移送するための磁力源と、磁性粒子に担持させた被検物質と標識物質との複合体の標識物質に基づいて被検物質を検出するための検出部とを備え、磁力源は、セット部にセットされた検体分析カートリッジの近傍を移動することにより、磁性粒子を、液体収容部から気相空間に移送するように構成されている。
この発明の第３の局面による被検物質の検出方法は、検体が供給された検体分析カートリッジを用いて検体に含まれる被検物質を検出する被検物質の検出方法であって、検体分析カートリッジは、気相空間がある通路部と、通路部に沿って配置され、開口部を通じて通路部と連通する複数の液体収容部と、を備え、複数の液体収容部は、被検物質を担持させるための磁性粒子を含む第１液体を収容するように構成された第１液体収容部と、被検物質に結合可能な標識物質を含む第２液体を収容するように構成された第２液体収容部とを含み、磁力源を用いて、磁性粒子を、通路部の気相空間を介して複数の液体収容部に順次移送することにより、磁性粒子に被検物質と標識物質との複合体を担持させ、複合体の標識物質に基づいて被検物質を検出し、検体分析カートリッジの厚み方向において、磁力源を液体収容部に接近させて磁性粒子を集磁する。